(57)【要約】【課題】視界が眩しくなる地点を予測して適切に注意喚起する。【解決手段】運転支援システムＳは、車両１に搭載された撮像装置２が進行方向を所定間隔で撮像して生成した撮像画像を順次取得する画像取得部１２と、車両１の位置、車両１の進行方向及び時刻に関する情報を含む車両情報を取得する車両情報取得部１３と、順次取得された複数の撮像画像中に輝度の異常がある異常画像があるか否かを判定する画像判定部１４と、異常画像があると判定された場合には、異常画像を撮像したタイミングに対応する車両情報に基づいて、運転を支援するための支援用地図情報を作成する管理制御部５３と、を備える。【選択図】図１
2019139609.tif 000002
【特許請求の範囲】
【請求項１】
車両に搭載された撮像部が進行方向を所定間隔で撮像して生成した撮像画像を順次取得する画像取得部と、
前記車両の位置、前記車両の進行方向及び時刻に関する情報を含む車両情報を取得する情報取得部と、
順次取得された複数の前記撮像画像中に輝度の異常がある異常画像があるか否かを判定する異常判定部と、
異常画像があると判定された場合には、前記異常画像を撮像したタイミングに対応する前記車両情報に基づいて、運転を支援するための支援用地図情報を作成する地図作成部と、
を備える、運転支援システム。
【請求項２】
前記異常判定部は、
順次取得された複数の前記撮像画像の輝度の大きさをそれぞれ求め、
前記輝度の平均値から所定値以上大きい輝度の画像を、前記異常画像であると判定する、
請求項１に記載の運転支援システム。
【請求項３】
前記地図作成部は、前記異常画像を撮像した時刻における前記車両の位置、進行方向を示す情報を含む前記支援用地図情報を作成する、
請求項１又は２に記載の運転支援システム。
【請求項４】
前記支援用地図情報に基づいて、走行中の車両が前記異常画像である撮像画像を撮像した地点に近づくと想定される場合に、注意を喚起する注意喚起部を更に備える、
請求項３に記載の運転支援システム。
【請求項５】
車両に搭載された撮像部が進行方向を所定間隔で撮像して生成した撮像画像を順次取得するステップと、
前記車両の位置、前記車両の進行方向及び時刻に関する情報を含む車両情報を取得するステップと、
順次取得された複数の前記撮像画像中に輝度の異常がある異常画像があるか否かを判定するステップと、
異常画像があると判定された場合には、前記異常画像を撮像したタイミングに対応する前記車両情報に基づいて、運転を支援するための支援用地図情報を作成するステップと、
を備える、運転支援方法。
【発明の詳細な説明】
【技術分野】
【０００１】
本開示は、運転支援システム及び運転支援方法に関する。
【背景技術】
【０００２】
トラック等の車両の運転者は、様々な環境下で運転を行っている。例えば、車両が走行する時間帯や進行方向によっては、運転者は、前方からの光（例えば太陽光）が眩しいため前方を適切に視認できない。
【先行技術文献】
【特許文献】
【０００３】
【特許文献１】特開２００９−３７４９３号公報
【発明の概要】
【発明が解決しようとする課題】
【０００４】
上記の光から運転者を保護するためにサングラス等が利用されるが、運転者が眩しいと感じた後にサングラス等を掛けることになり、事前に対応できない。このため、運転者に事前に注意を喚起できる方策の実現が要請されているが、従来では具体的な解決策が存在しなかった。
【０００５】
そこで、本開示はこれらの点に鑑みてなされたものであり、視界が眩しくなる地点を予測して適切に注意喚起することを目的とする。
【課題を解決するための手段】
【０００６】
本開示の第１の態様においては、車両に搭載された撮像部が進行方向を所定間隔で撮像して生成した撮像画像を順次取得する画像取得部と、前記車両の位置、前記車両の進行方向及び時刻に関する情報を含む車両情報を取得する情報取得部と、順次取得された複数の前記撮像画像中に輝度の異常がある異常画像があるか否かを判定する異常判定部と、異常画像があると判定された場合には、前記異常画像を撮像したタイミングに対応する前記車両情報に基づいて、運転を支援するための支援用地図情報を作成する地図作成部と、を備える、運転支援システムを提供する。
【０００７】
また、前記異常判定部は、順次取得された複数の前記撮像画像の輝度の大きさをそれぞれ求め、前記輝度の平均値から所定値以上大きい輝度の画像を、前記異常画像であると判定することとしてもよい。
【０００８】
また、前記地図作成部は、前記異常画像を撮像した時刻における前記車両の位置、進行方向を示す情報を含む前記支援用地図情報を作成することとしてもよい。
【０００９】
また、前記運転支援システムは、前記支援用地図情報に基づいて、走行中の車両が前記異常画像である撮像画像を撮像した地点に近づくと想定される場合に、注意を喚起する注意喚起部を更に備えることとしてもよい。
【００１０】
本開示の第２の態様においては、車両に搭載された撮像部が進行方向を所定間隔で撮像して生成した撮像画像を順次取得するステップと、前記車両の位置、前記車両の進行方向及び時刻に関する情報を含む車両情報を取得するステップと、順次取得された複数の前記撮像画像中に輝度の異常がある異常画像があるか否かを判定するステップと、異常画像があると判定された場合には、前記異常画像を撮像したタイミングに対応する前記車両情報に基づいて、運転を支援するための支援用地図情報を作成するステップと、を備える、運転支援方法を提供する。
【発明の効果】
【００１１】
本開示によれば、視界が眩しくなる地点を予測して適切に注意喚起できるという効果を奏する。
【図面の簡単な説明】
【００１２】
【図１】本発明の一の実施形態に係る運転支援システムＳの構成を説明するためのブロック図である。
【図２】撮像装置２による撮像画像の撮像を説明するための図である。
【図３】所定時間内に取得した各撮像画像の輝度値の分布例を示す図である。
【図４】支援用地図情報を説明するための模式図である。
【図５】支援用地図情報の作成処理を説明するためのフローチャートである。
【発明を実施するための形態】
【００１３】
＜運転支援システムの構成＞
本発明の一の実施形態に係る運転支援システムの構成について、図１を参照しながら説明する。
【００１４】
図１は、一の実施形態に係る運転支援システムＳの構成を説明するためのブロック図である。運転支援システムＳは、車両１を運転する際に事前に光が眩しい注意地点を特定して警告することで、運転を円滑に行わせる。運転支援システムＳは、図１に示すように、車両１と、管理装置５０とを含む。
【００１５】
車両１は、一例としてトラックである。車両１は、図１に示すように、撮像装置２と、ＧＰＳ３と、警報装置４と、記憶部５と、車両制御装置６とを有する。
【００１６】
撮像装置２は、車両１の運転席（例えばトラックのキャブ）に前方（運転者の視界）を向くように設けられており（図２参照）、例えばＣＣＤカメラを含む。撮像装置２は、走行中の車両１の前方を撮像して、撮像画像を生成する。本実施形態では、撮像装置２は、所定間隔で前方を撮像し、生成した撮像画像を車両制御装置６へ順次出力する。
【００１７】
図２は、撮像装置２による撮像画像の撮像を説明するための図である。撮像装置２は、車両１の運転者の視界を撮像するが、進行方向や走行時刻によっては、図２に示すように太陽の直接光や反射光も含むような撮像画像を撮像する。このため、撮像装置２が撮像した撮像画像には、輝度が異なるものが含まれる。例えば、視界が急に明るくなった場合には、その際に撮像した撮像画像の輝度が大きくなる。
【００１８】
図１に戻り、ＧＰＳ３は、例えば人工衛星を利用した全地球測位システムであり、車両１の位置を測位する。ＧＰＳ３は、測位結果を車両制御装置６に出力する。
【００１９】
警報装置４は、運転を支援するために、運転者に対して警報を行う装置である。例えば、警報装置４は、運転者の視界に入る光量が多くなる（前方からの太陽光が眩しい）と予測される場合に、警報を行う。警報装置４は、例えば、アラーム等の音を鳴らすスピーカ、警告画面を表示する表示部、振動を発生する振動発生部を含む。
【００２０】
記憶部５は、例えばＲＯＭ（Read Only Memory）及びＲＡＭ（Random Access Memory）を含む。記憶部５は、車両制御装置６が実行するためのプログラムや各種データを記憶する。例えば、記憶部５は、撮像装置２が生成した撮像画像や、運転支援用の制御地図を記憶している。
【００２１】
車両制御装置６は、例えばＣＰＵ（Central Processing Unit）である。車両制御装置６は、記憶部５に記憶されたプログラムを実行することにより、制御地図作成処理を実行する。車両制御装置６は、画像取得部１２と、車両情報取得部１３と、画像判定部１４と、通信制御部１５と、警報制御部１６とを有する。
【００２２】
画像取得部１２は、車両１の進行方向（運転者の視界）を撮像した撮像画像を取得する。すなわち、画像取得部１２は、車両１の走行中に撮像装置２が所定間隔で撮像して、生成した撮像画像を順次取得する。画像取得部１２は、順次取得した撮像画像を記憶部５に記憶させる。
【００２３】
車両情報取得部１３は、車両１の位置、進行方向及び時刻に関する情報を含む車両情報を取得する情報取得部である。例えば、車両情報取得部１３は、ＧＰＳ３の測位結果に基づいて、車両１の位置及び進行方向を特定する。また、車両情報取得部１３は、ＧＰＳ３が測定した時刻も、併せて取得する。
【００２４】
画像判定部１４は、画像取得部１２が取得した撮像画像を判定する。画像判定部１４は、順次取得された複数の撮像画像中に輝度の異常がある異常画像があるか否かを判定する異常判定部の機能を有する。例えば、画像判定部１４は、所定時間内に順次取得された複数の撮像画像の輝度の大きさをそれぞれ求め、輝度の平均値から所定値以上大きい輝度の画像を異常画像であると判定する。
【００２５】
ここで、画像判定部１４の異常画像の判定方法の一例を説明する。
まず、画像判定部１４は、過去の所定時間内に画像取得部１２が順次取得した各撮像画像の輝度値（例えば、各撮像画像の輝度の平均値）の分布を求める。ここでは、各撮像画像の輝度値の分布が、例えば図３に示すようなものであったとする。
【００２６】
図３は、所定時間内に取得した各撮像画像の輝度値の分布例を示す図である。図３のグラフの横軸は輝度を示し、縦軸は頻度を示す。車両１の走行中に視界の明るさの変化が小さい場合（運転者がまぶしく感じない場合）には、輝度値は、図３の所定範囲Ｃ１（例えば、平均値＋３σ）内に分布する。しかし、視界が急に明るくなる場合（運転者がまぶしく感じる場合）には、その際に撮像した撮像画像の輝度値は、図３の所定範囲Ｃ１から離れて大きな値（領域Ｃ２の部分）を示す。画像判定部１４は、領域Ｃ２の部分に相当する輝度値が検出された場合に、輝度が異常であると判定する。
上記の異常画像の判定をする利点は、以下の点にある。通常、運転者にとっては輝度が安定している状態では、輝度の大きさに関係なく目が慣れる習性を有する。そして、このような安定した状態から輝度が大きくなると、眩しく感じる。そこで、輝度が安定した状態から輝度が大きく変化した際に異常画像であると判定することで、運転者が眩しいと感じるタイミングを適切に検出できる。
【００２７】
上記では、画像判定部１４は、複数の撮像画像中に輝度に異常がある画像を異常画像として判定することとしたが、これに限定されない。例えば、画像判定部１４は、画像形式によっては、輝度に代えて白色度に異常がある画像を異常画像として判定してもよい。
【００２８】
図１に戻り、通信制御部１５は、管理装置５０との間の情報の送受信を制御する。例えば、通信制御部１５は、画像判定部１４によって異常画像があると判定された場合には、車両情報取得部１３によって取得された車両情報を管理装置５０に送信させる。具体的には、通信制御部１５は、異常画像と判定された撮像画像を撮像した際の車両情報を、管理装置５０に送信させる。また、通信制御部１５は、後述する管理装置５０が作成した支援用地図情報を受信する。
【００２９】
警報制御部１６は、警報装置４の動作を制御する。警報制御部１６は、車両１の走行中に運転者の視界に入る光量を多くなると予測される場合には、警報装置４によって注意を喚起する注意喚起部として機能する。例えば、警報制御部１６は、支援用地図情報から運転者の視界に入る光量を多くなる地点（別言すれば、輝度が異常であると判定された撮像画像を撮像した地点）に、撮像画像を撮像した時刻帯に車両１が近づくと想定される場合には、警報装置４によって注意を喚起する。
【００３０】
管理装置５０は、例えば管理センターに設けられた管理サーバーであり、複数の車両１との間で情報の送受信を行う（図１では、説明の便宜上、一つの車両１のみが示されている）。管理装置５０は、車両１の運転状況を管理すると共に、運転を支援する支援用地図情報を車両１に送信する。管理装置５０は、通信部５２と、管理制御部５３と、記憶部５４とを有する。
【００３１】
通信部５２は、車両１から、撮像画像中に異常画像があると判定された際の車両情報を受信する。記憶部５４は、管理制御部５３が実行するためのプログラムや各種データを記憶する。記憶部５４は、車両１から受信した車両情報を記憶する。
【００３２】
管理制御部５３は、管理装置５０の動作を制御する。例えば、管理制御部５３は、車両１の画像判定部１４によって異常画像があると判定された場合には、異常画像を撮像したタイミングに対応する車両情報に基づいて、運転を支援するための支援用地図情報を作成する地図情報作成部として機能する。すなわち、管理制御部５３は、車両１から受信した車両情報に基づいて、支援用地図情報を作成する。この際、管理制御部５３は、異常画像を撮像した時刻における車両１の位置、進行方向を示す情報を含む支援用地図情報を作成する。
【００３３】
図４は、支援用地図情報を説明するための模式図である。管理制御部５３は、例えば図４（ａ）〜（ｄ）に示すように、所定の時刻帯毎の支援用地図情報を作成する。各支援用地図情報には、輝度が異常を示す地点を示す情報Ｉ１（星のマーク）と、その地点の車両１の通過方向（進行方向）を示す情報Ｉ２（矢印の向き）が含まれる。なお、図４（ｄ）では、輝度の異常が無いので、上記の情報Ｉ１、Ｉ２が含まれていない。
【００３４】
通信部５１は、管理制御部５３が作成した支援用地図情報を、車両１に送信する。車両１は、受信した支援用地図情報に基づいて、運転者の視界に入る光量が多くなる地点に同時刻帯に近づき、かつ当該地点の車両１の通過方向が支援用地図情報と同じ場合には、警報装置４によって警報を行うことになる。
【００３５】
＜支援用地図情報の作成処理＞
支援用地図情報の作成処理について、図５を参照しながら説明する。
図５は、支援用地図情報の作成処理を説明するためのフローチャートである。図５のフローチャートは、車両１が走行を開始したところから開始される。
【００３６】
まず、画像取得部１２は、撮像装置２が所定間隔で撮像した撮像画像を、順次取得する（ステップＳ１０２）。この際、車両情報取得部１３は、車両１の位置、進行方向及び時刻に関する情報を含む車両情報を取得する。
【００３７】
次に、画像判定部１４は、画像取得部１２が取得した複数の撮像画像の各輝度を求める（ステップＳ１０４）。例えば、画像判定部１４は、図３に示すような各撮像画像の輝度の分布を求める。
【００３８】
次に、画像判定部１４は、求めた輝度の分布において、輝度の異常がある異常画像があるか否かを判定する（ステップＳ１０６）。ステップＳ１０６で異常画像があると判定された場合には（Ｙｅｓ）、通信制御部１５は、異常画像であると判定された撮像画像の撮像した際の車両情報を、管理装置５０に送信する（ステップＳ１０８）。
【００３９】
管理装置５０の管理制御部５３は、車両１から受信した車両情報に基づいて、支援用地図情報を作成する（ステップＳ１１０）。例えば、管理制御部５３は、図４（ａ）〜（ｄ）に示すような支援用地図情報を作成する。その後、管理装置５０は、作成した支援用地図情報を車両１に送信する。
【００４０】
＜本実施形態における効果＞
上述した実施形態において、運転支援システムＳは、車両１の前方を撮像する撮像装置２が順次取得した複数の撮像画像中に輝度の異常がある異常画像があるか否かを判定する。そして、運転支援システムＳは、異常画像があると判定された場合には、異常画像を撮像したタイミングに対応する車両情報に基づいて、運転を支援するための支援用地図情報を作成する。
異常画像の判定によって、車両１の走行中に太陽光によって視界が急に眩しくなる撮像画像を撮像した地点を特定できる。そして、当該撮像画像を撮像した際の車両１の位置、進行方向、時刻に基づいて支援用地図情報を作成することで、その後の運転の際に注意地点（視界が急に眩しくなる地点）を事前に予測して運転者に注意を喚起できる。
【００４１】
なお、上記においては、管理装置５０の管理制御部５３が支援用地図情報を作成することとしたが、これに限定されない。例えば、車両１の車両制御装置６が支援用地図情報を作成する機能を有してもよい。
【００４２】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００４３】
Ｓ    運転支援システム
１    車両
２    撮像装置
１２    画像取得部
１３    車両情報取得部
１４    画像判定部
１６    警報制御部
５０    管理装置
５３    管理制御部
【図１】
2019139609.tif 000003
【図２】
2019139609.tif 000004
【図３】
2019139609.tif 000005
【図４】
2019139609.tif 000006
【図５】
2019139609.tif 000007